(57)【要約】【課題】メダル案内通路の清掃作業効率を高めて満足行く清掃効果が得られ、メンテナンス性に優れたメダルセレクタを提供する。【解決手段】転動するメダルの一側面および他側面をガイドしつつメダル転動面上を転動させて所定の位置へ案内するメダル案内通路を備えたメダルセレクタの本体ベース６１０Ａに電気部品（メダルブロッカ６５０およびセンサユニット６６０）を設け、メダルの一側面をガイドする第１ガイド手段６２０Ａを本体ベース６１０Ａへ着脱可能に設け、この第１ガイド手段６２０Ａには、メダルが転動するメダル転動面６３１が形成された下部ガイドレール６３０Ａ、メダルの他側面をガイドする第２ガイド手段６４０Ａを取り付け、メダル案内通路を構成する第１，第２ガイド手段６２０Ａ，６４０Ａと下部ガイドレール６３０Ａを本体ベース６１０Ａから取り外して丸洗いできるようにした。【選択図】図７
2008178630.tif 000002
【特許請求の範囲】
【請求項１】
転動するメダルの側面をガイドしつつメダル転動面上を転動させて所定の位置へ案内するメダル案内通路を構成するためのメダル案内部と、電気的に作動する電気部品とを備えたメダルセレクタであって、
前記メダル案内部および前記電気部品を取付可能な本体ベースを備え、
前記メダル案内部は、前記メダルが転動するメダル転動面が形成された下部ガイドレールと、前記メダルの一側面をガイドする第１ガイド手段とを有し、
前記メダル案内部の前記下部ガイドレールを前記本体ベースから着脱可能としたことを特徴とするメダルセレクタ。
【請求項２】
前記電気部品は、少なくとも、可動規制部を前記メダル案内通路へ突入させてメダルの通過を制限する通過制限状態と前記可動規制部を前記メダル案内通路から退避させてメダルの通過を許容する通過許容状態とに変換可能なメダルブロッカと、メダルの通過を電気的に検出するメダルセンサを含み、
前記案内部の前記第１ガイド手段は、メダルの上部側面をガイドする上部ガイドレール部を備え、
前記本体ベースには、メダルが自重により上流から下流へ転動流下するメダル転動面となるように傾斜をつけて前記下部ガイドレールを取り付け可能な下部ガイドレール取付部と、前記第１ガイド手段を取り付け可能な第１ガイド手段取付部と、を設け、
前記メダルブロッカは、前記可動規制部が前記メダル案内通路内へ突入・退避可能なように本体ベースに取り付け、
前記メダルセンサは、前記メダルブロッカよりも下流となる位置で前記本体ベースに取り付け、
前記下部ガイドレールは、前記本体ベースの前記下部ガイドレール取付部へ着脱可能に取り付けたことを特徴とする請求項１記載のメダルセレクタ。
【請求項３】
前記下部ガイドレールの着脱を検知する検出手段を前記本体ベースに設けたことを特徴とする請求項１又は請求項２記載のメダルセレクタ。
【請求項４】
転動するメダルの側面をガイドしつつメダル転動面上を転動させて所定の位置へ案内するメダル案内通路を構成するためのメダル案内部と、電気的に作動する電気部品とを備えたメダルセレクタであって、
前記メダル案内部および前記電気部品を取付可能な本体ベースを備え、
前記メダル案内部は、前記メダルが転動するメダル転動面が形成された下部ガイドレールと、前記メダルの一側面をガイドする第１ガイド手段とを有し、
前記メダル案内部の前記第１ガイド手段を前記本体ベースから着脱可能としたことを特徴とするメダルセレクタ。
【請求項５】
前記電気部品は、少なくとも、可動規制部を前記メダル案内通路へ突入させてメダルの通過を制限する通過制限状態と前記可動規制部を前記メダル案内通路から退避させてメダルの通過を許容する通過許容状態とに変換可能なメダルブロッカと、メダルの通過を電気的に検出するメダルセンサを含み、
前記案内部の前記第１ガイド手段は、前記本体ベースに着脱可能に取り付けられるガイドベースを備え、該ガイドベースには、メダルが自重により上流から下流へ転動流下するメダル転動面となるように傾斜をつけて前記下部ガイドレールを取り付け可能な下部ガイドレール取付部と、メダルの上部側面をガイドする上部ガイドレール部と、を設け、
前記メダルブロッカは、前記可動規制部が前記メダル案内通路内へ突入・退避可能なように前記本体ベースに取り付け、
前記メダルセンサは、前記メダルブロッカよりも下流となる位置で前記本体ベースに取り付け、
前記下部ガイドレールは、前記第１ガイド手段の前記下部ガイドレール取付部へ取り付けたことを特徴とする請求項４記載のメダルセレクタ。
【請求項６】
前記電気部品は、少なくとも、可動規制部を前記メダル案内通路へ突入させてメダルの通過を制限する通過制限状態と前記可動規制部を前記メダル案内通路から退避させてメダルの通過を許容する通過許容状態とに変換可能なメダルブロッカと、メダルの通過を電気的に検出するメダルセンサを含み、
前記本体ベースには、メダルが自重により上流から下流へ転動流下するメダル転動面となるように傾斜をつけて前記下部ガイドレールを設け、
前記案内部の前記第１ガイド手段は、前記本体ベースに着脱可能に取り付けられるガイドベースを備え、該ガイドベースには、メダルの上部側面をガイドする上部ガイドレール部と、を設け、
前記メダルブロッカは、前記可動規制部が前記メダル案内通路内へ突入・退避可能なように前記本体ベースに取り付け、
前記メダルセンサは、前記メダルブロッカよりも下流となる位置で前記本体ベースに取り付けたことを特徴とする請求項４記載のメダルセレクタ。
【請求項７】
前記ガイドベースの着脱を検知する検出手段を前記本体ベースに設けたことを特徴とする請求項４〜請求項６の何れか１項記載のメダルセレクタ。
【請求項８】
転動するメダルの側面をガイドしつつメダル転動面上を転動させて所定の位置へ案内するメダル案内通路を構成するためのメダル案内部と、電気的に作動する電気部品とを備えたメダルセレクタであって、
前記メダル案内部および前記電気部品を取付可能な本体ベースを備え、
前記メダル案内部は、前記メダルが転動するメダル転動面が形成された下部ガイドレールと、前記メダルの一側面をガイドする第１ガイド手段とを有し、
前記メダル案内部の前記第１ガイド手段および前記下部ガイドレールを前記本体ベースから着脱可能としたことを特徴とするメダルセレクタ。
【請求項９】
前記電気部品は、少なくとも、可動規制部を前記メダル案内通路へ突入させてメダルの通過を制限する通過制限状態と前記可動規制部を前記メダル案内通路から退避させてメダルの通過を許容する通過許容状態とに変換可能なメダルブロッカと、メダルの通過を電気的に検出するメダルセンサを含み、
前記本体ベースには、メダルが自重により上流から下流へ転動流下するメダル転動面となるように傾斜をつけて前記下部ガイドレールを取り付け可能な下部ガイドレール取付部を設け、
前記案内部の前記第１ガイド手段は、前記本体ベースに着脱可能に取り付けられるガイドベースを備え、該ガイドベースには、メダルの上部側面をガイドする上部ガイドレール部、を設け、
前記メダルブロッカは、前記可動規制部が前記メダル案内通路内へ突入・退避可能なように本体ベースに取り付け、
前記メダルセンサは、前記メダルブロッカよりも下流となる位置で前記本体ベースに取り付け、
前記下部ガイドレールは、前記本体ベースの前記下部ガイドレール取付部へ着脱可能に取り付けたことを特徴とする請求項８記載のメダルセレクタ。
【請求項１０】
前記下部ガイドレールの着脱を検知する検出手段を前記本体ベースに設けたことを特徴とする請求項８又は請求項９記載のメダルセレクタ。
【請求項１１】
前記ガイドベースの着脱を検知する検出手段を前記本体ベースに設けたことを特徴とする請求項８〜請求項１０の何れか１項記載のメダルセレクタ。
【請求項１２】
前記メダル案内部は、メダルの他側面をガイドする第２ガイド手段を備え、
前記第２ガイド手段は、前記第１ガイド手段に取り付けたことを特徴とする請求項１〜請求項１１の何れか１項記載のメダルセレクタ。
【請求項１３】
前記第１ガイド手段または前記第２ガイド手段の何れか一方に、メダルが自重により上流から下流へ転動流下するメダル転動面となるように傾斜をつけて前記下部ガイドレールを取り付け可能な下部ガイドレール取付部を設けたことを特徴とする請求項１２記載のメダルセレクタ。
【請求項１４】
前記第１ガイド手段と前記第２ガイド手段は着脱可能であることを特徴とする請求項１２又は請求項１３記載のメダルセレクタ。
【請求項１５】
前記第１ガイド手段と前記第２ガイド手段は、蝶番機構により開閉可能に取り付けられ、前記メダル案内通路を転動するメダルの両側面をガイド可能なように前記第１ガイド手段と前記第２ガイド手段を弾性部材により付勢したことを特徴とする請求項１２又は請求項１３記載のメダルセレクタ。
【請求項１６】
前記本体ベースを所定の装着状態に保持するホルダ部材を備え、
前記本体ベースにはベース側コネクタを、前記ホルダ部材にはホルダ側コネクタを各々設け、前記本体ベースを前記ホルダ部材へ適正に装着することで前記ベース側コネクタと前記ホルダ側コネクタが嵌着するようにしたことを特徴とする請求項１〜請求項１５の何れか１項記載のメダルセレクタ。
【請求項１７】
請求項１〜請求項１６の何れか１項記載のメダルセレクタを備えた遊技台であって、
複数種類の絵柄が施された複数のリールと、
前記複数のリールの回転を開始させるスタートスイッチと、
前記複数のリールそれぞれに対応して設けられ、前記リールの回転を個別に停止させるストップスイッチと、
予め定められた複数種類の入賞役の内部当選の当否を抽選により判定する抽選手段と、
停止時の前記複数のリールにより表示された絵柄の組合せが、前記抽選手段により内部当選した入賞役の絵柄組合せであるか否かにより当該入賞役への入賞を判定する判定手段と、
を備えたことを特徴とする遊技台。
【発明の詳細な説明】
【技術分野】
【０００１】
本発明は、メダル案内通路においてメダルを選別する機能を備えたメダルセレクタ、このメダルセレクタを備える遊技台に関する。
【背景技術】
【０００２】
従来、スロットマシン等の遊技台には、投入口から遊技媒体として投入されたメダルを所定位置に導くためのメダル案内通路を備えたメダルセレクタが用いられている。メダルセレクタのメダル案内通路では、メダルの一側面および他側面をガイドしつつメダル転動面上を転動させることから、メダルの汚れがメダル案内通路に付着することは避けられない。特に、メダル案内通路の底面であるメダル転動面上には、メダルの投入により汚れが多く堆積し、投入したメダルがメダル転動面上をうまく転動できずにメダル案内通路から脱落してメダル返却口から返却されてしまうような不具合が生ずることもあった。
【０００３】
そのため、メダル案内通路の底面（メダル転動面）を清掃する清掃具（綿棒等）を挿入するための隙間を設けた構造のメダルセレクタが提案されている（例えば、特許文献１を参照）。この特許文献１に記載の発明によれば、メダルセレクタを遊技台から取り外して分解掃除するような手間をかけずに、メダル案内通路の底面を簡単に清掃できるという利点がある。
【０００４】
【特許文献１】特開２００２−１４０７５１号公報
【発明の開示】
【発明が解決しようとする課題】
【０００５】
しかしながら、特許文献１に記載の発明では、メダル案内通路の底面であるメダル転動面上に付着した汚れを落とすことは容易であるものの、人の手から出る油等がメダルの側面からメダル案内通路の側面に付着した汚れを落とすことは困難である。また、メダルセレクタに設けた比較的狭小な隙間から綿棒のような清掃具を挿入してメダル案内通路の底面にこびり付いた汚れを落とす作業は、必ずしも効率がよいとは言えないし、満足できる清掃効果が得難い可能性もある。
【０００６】
以上のような問題点に鑑み、本発明は、メダル案内通路の清掃作業効率を高めて満足行く清掃効果が得られ、メンテナンス性に優れたメダルセレクタ、このメダルセレクタを備えた遊技台の提供を目的とする。
【課題を解決するための手段】
【０００７】
上記の課題を解決するために、請求項１に係る発明は、転動するメダルの側面をガイドしつつメダル転動面上を転動させて所定の位置へ案内するメダル案内通路を構成するためのメダル案内部と、電気的に作動する電気部品とを備えたメダルセレクタであって、前記メダル案内部および前記電気部品を取付可能な本体ベースを備え、前記メダル案内部は、前記メダルが転動するメダル転動面が形成された下部ガイドレールと、前記メダルの一側面をガイドする第１ガイド手段とを有し、前記メダル案内部の前記下部ガイドレールを前記本体ベースから着脱可能としたことを特徴とする。
【０００８】
また、請求項２に係る発明は、前記請求項１記載のメダルセレクタにおいて、前記電気部品は、少なくとも、可動規制部を前記メダル案内通路へ突入させてメダルの通過を制限する通過制限状態と前記可動規制部を前記メダル案内通路から退避させてメダルの通過を許容する通過許容状態とに変換可能なメダルブロッカと、メダルの通過を電気的に検出するメダルセンサを含み、前記案内部の前記第１ガイド手段は、メダルの上部側面をガイドする上部ガイドレール部を備え、前記本体ベースには、メダルが自重により上流から下流へ転動流下するメダル転動面となるように傾斜をつけて前記下部ガイドレールを取り付け可能な下部ガイドレール取付部と、前記第１ガイド手段を取り付け可能な第１ガイド手段取付部と、を設け、前記メダルブロッカは、前記可動規制部が前記メダル案内通路内へ突入・退避可能なように本体ベースに取り付け、前記メダルセンサは、前記メダルブロッカよりも下流となる位置で前記本体ベースに取り付け、前記下部ガイドレールは、前記本体ベースの前記下部ガイドレール取付部へ着脱可能に取り付けたことを特徴とする。
【０００９】
また、請求項３に係る発明は、前記請求項１又は請求項２記載のメダルセレクタにおいて、前記下部ガイドレールの着脱を検知する検出手段を前記本体ベースに設けたことを特徴とする。
【００１０】
また、請求項４に係る発明は、転動するメダルの側面をガイドしつつメダル転動面上を転動させて所定の位置へ案内するメダル案内通路を構成するためのメダル案内部と、電気的に作動する電気部品とを備えたメダルセレクタであって、前記メダル案内部および前記電気部品を取付可能な本体ベースを備え、前記メダル案内部は、前記メダルが転動するメダル転動面が形成された下部ガイドレールと、前記メダルの一側面をガイドする第１ガイド手段とを有し、前記メダル案内部の前記第１ガイド手段を前記本体ベースから着脱可能としたことを特徴とする。
【００１１】
また、請求項５に係る発明は、前記請求項４記載のメダルセレクタにおいて、前記電気部品は、少なくとも、可動規制部を前記メダル案内通路へ突入させてメダルの通過を制限する通過制限状態と前記可動規制部を前記メダル案内通路から退避させてメダルの通過を許容する通過許容状態とに変換可能なメダルブロッカと、メダルの通過を電気的に検出するメダルセンサを含み、前記案内部の前記第１ガイド手段は、前記本体ベースに着脱可能に取り付けられるガイドベースを備え、該ガイドベースには、メダルが自重により上流から下流へ転動流下するメダル転動面となるように傾斜をつけて前記下部ガイドレールを取り付け可能な下部ガイドレール取付部と、メダルの上部側面をガイドする上部ガイドレール部と、を設け、前記メダルブロッカは、前記可動規制部が前記メダル案内通路内へ突入・退避可能なように前記本体ベースに取り付け、前記メダルセンサは、前記メダルブロッカよりも下流となる位置で前記本体ベースに取り付け、前記下部ガイドレールは、前記第１ガイド手段の前記下部ガイドレール取付部へ取り付けたことを特徴とする。
【００１２】
また、請求項６に係る発明は、前記請求項４記載のメダルセレクタにおいて、前記電気部品は、少なくとも、可動規制部を前記メダル案内通路へ突入させてメダルの通過を制限する通過制限状態と前記可動規制部を前記メダル案内通路から退避させてメダルの通過を許容する通過許容状態とに変換可能なメダルブロッカと、メダルの通過を電気的に検出するメダルセンサを含み、前記本体ベースには、メダルが自重により上流から下流へ転動流下するメダル転動面となるように傾斜をつけて前記下部ガイドレールを設け、前記案内部の前記第１ガイド手段は、前記本体ベースに着脱可能に取り付けられるガイドベースを備え、該ガイドベースには、メダルの上部側面をガイドする上部ガイドレール部と、を設け、前記メダルブロッカは、前記可動規制部が前記メダル案内通路内へ突入・退避可能なように前記本体ベースに取り付け、前記メダルセンサは、前記メダルブロッカよりも下流となる位置で前記本体ベースに取り付けたことを特徴とする。
【００１３】
また、請求項７に係る発明は、前記請求項４〜請求項６の何れか１項記載のメダルセレクタにおいて、前記ガイドベースの着脱を検知する検出手段を前記本体ベースに設けたことを特徴とする。
【００１４】
また、請求項８に係る発明は、転動するメダルの側面をガイドしつつメダル転動面上を転動させて所定の位置へ案内するメダル案内通路を構成するためのメダル案内部と、電気的に作動する電気部品とを備えたメダルセレクタであって、前記メダル案内部および前記電気部品を取付可能な本体ベースを備え、前記メダル案内部は、前記メダルが転動するメダル転動面が形成された下部ガイドレールと、前記メダルの一側面をガイドする第１ガイド手段とを有し、前記メダル案内部の前記第１ガイド手段および前記下部ガイドレールを前記本体ベースから着脱可能としたことを特徴とする。
【００１５】
また、請求項９に係る発明は、前記請求項８記載のメダルセレクタにおいて、前記電気部品は、少なくとも、可動規制部を前記メダル案内通路へ突入させてメダルの通過を制限する通過制限状態と前記可動規制部を前記メダル案内通路から退避させてメダルの通過を許容する通過許容状態とに変換可能なメダルブロッカと、メダルの通過を電気的に検出するメダルセンサを含み、前記本体ベースには、メダルが自重により上流から下流へ転動流下するメダル転動面となるように傾斜をつけて前記下部ガイドレールを取り付け可能な下部ガイドレール取付部を設け、前記案内部の前記第１ガイド手段は、前記本体ベースに着脱可能に取り付けられるガイドベースを備え、該ガイドベースには、メダルの上部側面をガイドする上部ガイドレール部、を設け、前記メダルブロッカは、前記可動規制部が前記メダル案内通路内へ突入・退避可能なように本体ベースに取り付け、前記メダルセンサは、前記メダルブロッカよりも下流となる位置で前記本体ベースに取り付け、前記下部ガイドレールは、前記本体ベースの前記下部ガイドレール取付部へ着脱可能に取り付けたことを特徴とする。
【００１６】
また、請求項１０に係る発明は、前記請求項８又は請求項９記載のメダルセレクタにおいて、前記下部ガイドレールの着脱を検知する検出手段を前記本体ベースに設けたことを特徴とする。
【００１７】
また、請求項１１に係る発明は、前記請求項１〜請求項１０の何れか１項記載のメダルセレクタにおいて、前記ガイドベースの着脱を検知する検出手段を前記本体ベースに設けたことを特徴とする。
【００１８】
また、請求項１２に係る発明は、前記請求項１〜請求項１１の何れか１項記載のメダルセレクタにおいて、前記メダル案内部は、メダルの他側面をガイドする第２ガイド手段を備え、前記第２ガイド手段は、前記第１ガイド手段に取り付けたことを特徴とする。
【００１９】
また、請求項１３に係る発明は、前記請求項１２記載のメダルセレクタにおいて、前記第１ガイド手段または前記第２ガイド手段の何れか一方に、メダルが自重により上流から下流へ転動流下するメダル転動面となるように傾斜をつけて前記下部ガイドレールを取り付け可能な下部ガイドレール取付部を設けたことを特徴とする。
【００２０】
また、請求項１４に係る発明は、前記請求項１２又は請求項１３記載のメダルセレクタにおいて、前記第１ガイド手段と前記第２ガイド手段は着脱可能であることを特徴とする。
【００２１】
また、請求項１５に係る発明は、前記請求項１２又は請求項１３記載のメダルセレクタにおいて、前記第１ガイド手段と前記第２ガイド手段は、蝶番機構により開閉可能に取り付けられ、前記メダル案内通路を転動するメダルの両側面をガイド可能なように前記第１ガイド手段と前記第２ガイド手段を弾性部材により付勢したことを特徴とする。
【００２２】
また、請求項１６に係る発明は、前記請求項１〜請求項１５の何れか１項記載のメダルセレクタにおいて、前記本体ベースを所定の装着状態に保持するホルダ部材を備え、前記本体ベースにはベース側コネクタを、前記ホルダ部材にはホルダ側コネクタを各々設け、前記本体ベースを前記ホルダ部材へ適正に装着することで前記ベース側コネクタと前記ホルダ側コネクタが嵌着するようにしたことを特徴とする。
【００２３】
また、請求項１７に係る発明は、前記請求項１〜請求項１１の何れか１項記載のメダルセレクタを備えた遊技台であって、複数種類の絵柄が施された複数のリールと、前記複数のリールの回転を開始させるスタートスイッチと、前記複数のリールそれぞれに対応して設けられ、前記リールの回転を個別に停止させるストップスイッチと、予め定められた複数種類の入賞役の内部当選の当否を抽選により判定する抽選手段と、停止時の前記複数のリールにより表示された絵柄の組合せが、前記抽選手段により内部当選した入賞役の絵柄組合せであるか否かにより当該入賞役への入賞を判定する判定手段と、を備えたことを特徴とする。
【発明の効果】
【００２４】
本発明に係るメダルセレクタによれば、メンテナンスが容易である。
【００２５】
また、本発明に係る遊技台によれば、メンテナンス性の高いメダルセレクタを備えることで、投入メダルの適正な振分機能を発揮でき、信頼性を高めることができる。
【発明を実施するための最良の形態】
【００２６】
以下、本発明の実施形態を、添付図面に基づいて詳細に説明する。まず、本発明に係るメダルセレクタを備える遊技台の具体的構造について説明しておく。
【００２７】
〈スロットマシンの全体の構成〉
図１は、本発明の一実施形態に係るスロットマシン１００の外観を示す斜視図で、種々の種々の遊技機能が設けられた前面扉１０１を本体２０１に前面開口部へ開閉可能に設けたものである。図１に示すように、スロットマシン１００の中央内部には、外周面に複数種類の絵柄（「７」、「Ｂａｒ」、「ベル」、「リプレイ」等の文字や記号：図示省略）を配列した円筒状のリールが３個（左リール１１０、中リール１１１、右リール１１２）収納され、本体２０１の内部で回転できるように構成されている。
【００２８】
前面扉１０１には、リール表示窓１１３が設けられており、リール１１０〜１１２を正面から眺めると、これに施された絵柄がリール表示窓１１３から縦方向に３つ見えるようになっている。つまり、全リール１１０〜１１２が停止した場合、遊技者は、３×３の合計９個の絵柄を見ることができる。これらのリール１１０〜１１２が回転し、停止することにより、様々な絵柄の組み合せがリール表示窓１１３に表示されることになる。なお、本実施形態では、３個のリールを備えるものとしたが、リールの数やリールの設置位置はこれに限定されるものではない。
【００２９】
入賞ライン表示ランプ１２０は、遊技毎に有効となる入賞ライン１１４を示すランプである。有効となる入賞ライン１１４は、スロットマシン１００に投入された遊技媒体（本実施形態ではメダルを想定する。）の枚数によって変化する。例えば、図１に示すように５本の入賞ライン１１４を有する場合、メダルを１枚投入したときは中段の水平入賞ライン、２枚投入したときは、上段の水平入賞ラインおよび下段の水平入賞ラインを加えた３つの入賞ライン、３枚投入したときは更に２本の斜めの入賞ラインを加えた５ラインが有効となり、有効な入賞ライン１１４上に揃った絵柄の組み合せにより入賞が判断されることとなる。勿論、入賞ラインの数は５本に限定されるものではない。
【００３０】
スタートランプ１２１は、リール１１０〜１１２が回転することができる状態にあることを遊技者に知らせるランプである。再遊技ランプ１２２は、入賞役である再遊技に入賞したとき（例えば、リプレイ−リプレイ−リプレイの再遊技絵柄の組み合せが入賞ライン１１４上に揃ったとき）、遊技者へ次の遊技が再遊技であることを知らせるランプである。再遊技の場合、次遊技において遊技媒体であるメダルの投入が免除される。
【００３１】
告知ランプ１２３は、特別な入賞役（例えば、ビッグボーナス（ＢＢ）やレギュラーボーナス（ＲＢ））に内部当選した状態にあることを遊技者に報知するランプである。メダル投入ランプ１２４は、遊技開始にあたって遊技者にメダルの投入が必要であることを報知するランプである。
【００３２】
メダル投入枚数表示ランプ１２５は、遊技者が投入したメダル枚数を表示するランプである。本実施形態では、１回の遊技に最大３枚までメダル投入できるので、縦に配置した３つのランプを用いてメダル投入枚数を表示している。無論、ランプで表示する他に７セグメント表示器等で直接メダル投入枚数を表示しても良い。
【００３３】
払出枚数表示器１２６は、メダルの払い出しのある何らかの入賞役に入賞したとき、遊技者へ払い出されるメダルの枚数を表示する表示器である。遊技回数表示器１２７は、ビッグボーナスゲーム中の一般ゲームの回数等を表示する表示器である。貯留枚数表示器１２８は、電子的に貯留（クレジット）しているメダルの枚数を表示する表示器である。演出用ランプ１２９は、遊技の興趣を高めるための演出に使用されるランプである。
【００３４】
メダル投入ボタン１３１、１３２は、貯留されたメダルをスロットマシン１００へ電子的に投入するための投入ボタンであり、いわゆるベットボタンと呼ばれているものである。本実施形態では、３枚メダル投入ボタン１３１（最大枚数のメダルを投入できる、いわゆるマックスベットボタン）と、１回押下するごとに１枚のメダルを投入する１枚メダル投入ボタン１３２とを有し、これらのボタンのいずれかを押下することにより遊技に必要な１〜３枚のメダルがスロットマシン１００へ電子的に投入される。２枚のメダルを投入する場合は、１枚メダル投入ボタン１３１を２回押下することとなる。投入されたメダル枚数分は、現在の貯留枚数から減算されて残枚数が貯留枚数表示器１２８に表示される。
【００３５】
メダル投入口ブロック１３３は、遊技を開始するに当たって遊技者が直接メダルを投入するための開口を有する。メダルを直接投入した際に、メダル投入口直下にあるメダルセレクターユニット（後に詳述）内にメダルが詰まってしまった場合は、メダル返却スイッチ１３４を操作することによってメダルの詰まりを解消させる。スタートレバー１３５は、遊技の開始操作として、リール１１０〜１１２の回転を開始させるレバー型のスイッチである。
【００３６】
停止ボタンユニット１３６には、３つの停止ボタン（左停止ボタン１３６ａ，中停止ボタン１３６ｂ，右停止ボタン１３６ｃ）が設けられている。各停止ボタンは、押下することによって対応するリール１１０〜１１２を停止させるボタン型のスイッチである。具体的には、左停止ボタン１３６ａを操作することによって左リール１１０が、中停止ボタン１３６ｂを操作することによって中リール１１１が、右停止ボタン１３６ｃを操作することによって右リール１１２がそれぞれ停止する。
【００３７】
各停止ボタンの内部にはランプ（図示せず）が設けられており、スタートレバー１３５が操作された後、リール１１０〜１１２の停止操作が可能な状態になると全ランプが点灯し、遊技者に停止操作が可能になったことを報知する。各停止ボタンのランプは各停止ボタンが押下される毎に消灯する。無論、停止操作可能な状態とその他の状態とでランプの発光色を変化させるように構成することもできる。
【００３８】
精算ボタン１３８は、遊技者が獲得したメダルを精算して排出する精算処理を行う場合に押下されるボタンである。なお、精算ボタン１３８は、遊技者がメダル投入口ブロック１３３から投入したメダルのうち所定枚数（例えば３枚）以上のメダルまたは入賞により獲得したメダルを最大５０枚まで貯留するか否かを切り換える場合にも使用され、例えば、一回精算ボタン１３８が押下されて精算処理が行われると、非貯留モードが設定され、もう一度精算ボタン１３８が押下されると、貯留モードが設定される。ここに、メダルの貯留とは、メダルを直接払い出さずに、電子的にその枚数を後述する制御部に一時記憶しておくことを意味する。
【００３９】
キー孔１３９は、扉開閉用のキーを差し込む孔で、キーを差し込んで時計方向に回すとロックが解除され、スロットマシン１００の前面扉１０１を開けることができる。メダル排出口１６５は、メダルを排出するための開口であり、入賞時に払い出されるメダルはここから排出される。排出されたメダルは、受け皿１６０に溜まるようになっている。
【００４０】
上部ランプ１９０、サイドランプ１５１，１５２、中央ランプ１５３，１５４、腰部ランプ１５５，１５６、下部ランプ１５７，１５８は、遊技を盛り上げるための演出用のランプであり、遊技状態に応じて点灯／消灯／点滅する。また、図示を省略したタイトルパネルランプによりタイトルパネル１４０を照明する。本実施形態では、受け皿１６０を透光性材料で構成し、受皿取り付け面からランプ光を入射させることで上記演出用のランプと同様の効果を発揮させるように構成している。また、受け皿１６０には、着脱可能に構成した灰皿ユニット１７０が設けられている。
【００４１】
また、スロットマシンの上部（リール表示窓１１３の上方）中央部には、遊技に関する各種の情報（ゲームを盛り上げるためキャラクタ等を登場させるゲーム画面、スロットマシンの内部で異常が発生した場合にエラーの内容を表示するエラー画面など）を表示することができるＬＣＤ１８０が設けられており、このＬＣＤ１８０を用いて、各種スイッチ類（例えば、３枚メダル投入ボタン１３１や１枚メダル投入ボタン１３２，スタートレバー１３５，停止ボタン１３６ａ〜１３６ｃ，精算ボタン１３８等）に生じた動作不良に関する情報も報知する。
【００４２】
〈スロットマシンの内部構成〉
次に、本実施形態に係るスロットマシン１００の内部構成について説明する。図２は、前面扉１０１を本体２０１から開いた状態の斜視図である。
【００４３】
本体２０１の内部には、ほぼ水平方向のリール固定台２１０を配設し、リール１１０〜１１２がリール表示窓１１３の裏面に臨む位置でリールユニット２２０が固定されるようになっている。このリール固定台２１０の下部空間には、各部への駆動電力を供給する電源装置、メダル投入口ブロック１３３より投入されたメダルを貯留すると共に受け皿１６０へメダルを払い出すメダルホッパー２３０、メダルホッパー２３０から溢れたメダルを受け入れて貯留する補助タンク２４０等が収容されている。
【００４４】
また、本体２０１の内部の適所（例えば、上記リールユニット２２０の後方上部）には、主として遊技制御機能を実現する主制御装置３００を固定する。本体２０１の内部における側壁部（例えば、前面扉１０１の蝶番機構の設けられた側壁内面）には、主として演出機能を実現する副制御部４００を固定し、この副制御装置４００が作動させるＬＣＤ１８０等の演出用デバイスと、前面扉１０１の裏面上部に設けられた液晶画面制御部５００を介して接続される。また、前面扉１０１の裏面側には、メダル投入口ブロック１３３より投入されたメダルを選別する機能を備えたメダルセレクタ６００を設け、遊技に供するものとして適正に受入れたメダルはメダルセレクタ６００から上記メダルホッパ２３０へ移送され、遊技用メダルとして取り込めない場合や不適正と判定されたメダルは、メダルセレクタ６００により選別されて、前面扉１０１の前面下部に設けた受け皿１６０へ排出される。このメダルセレクタ６００については後に詳述する。
【００４５】
〈スロットマシンの制御ブロック〉
次に、スロットマシン１００における制御手段として機能する各制御部を詳細に説明する。図３は主制御部３００の詳細を示すもので、図４は副制御部４００の詳細を示すものである。
【００４６】
〈主制御部の構成〉
まず、図３を用いて、スロットマシン１００の主制御部３００について説明する。主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。
【００４７】
クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック回路３１４により分周されたクロックをシステムクロックとして受け入れて動作する。
【００４８】
また、ＣＰＵ３１０には、後述するセンサやスイッチの状態を常時監視するための監視周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。
【００４９】
タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００５０】
また、ＣＰＵ３１０には、各ＩＣを制御するためのプログラム、入賞役の内部抽選時に用いる抽選データ、リールの停止位置等を記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。
【００５１】
また、ＣＰＵ３１０には、外部の信号を受信するための入力インタフェース３６０が接続され、割込み時間ごとに入力インタフェース３６０を介して、メダル受付センサ３２０、スタートレバーセンサ３２１、ストップボタンセンサ３２２、ＭＡＸベットボタンセンサ３２３、ＯＮＥベットボタンセンサ３２４、精算ボタンセンサ３２５、リセットスイッチ３２６、メダル払出センサ３２７の状態を検出し、各センサを監視している。
【００５２】
メダル受付センサ３２０は、メダル投入ブロック１３３のメダル投入口より投入されたメダルがメダルセレクタ６００によって適正に受入れられてメダルホッパ２３０へ移送される通路上に設けられ、メダルの通過有無を検出するものであり、例えば、メダルセレクタ６００内のメダル案内通路下流側に配設する。スタートレバーセンサ３２１は、遊技者によるスタートレバー１３０の操作を検出する。ストップボタンセンサ３２２は、各々のストップボタン１３６ａ〜１３６ｃに設置されており、遊技者によるストップボタンの操作を検出する。
【００５３】
ＭＡＸベットボタンセンサ３２３はＭＡＸベットボタン１３１が操作されたことを検出し、ＯＮＥベットボタンセンサ３２２はＯＮＥベットボタン１３２が操作されたことを検出し、夫々の検出出力は、ＲＡＭ３１３に電子的に貯留されているメダルを遊技用のメダルとして投入した枚数の特定に供される。たとえば、ＣＰＵ３１０は、ＯＮＥベットボタン１３２に対応するＯＮＥベットボタンセンサ３２４がＨレベルになった場合に、電子的に貯留メダルを１枚投入し、ＭＡＸベットボタン１３１に対応するＭＡＸベットボタンセンサ３２３がＨレベルになった場合に、電子的に貯留メダルを３枚投入する。なお、ＭＡＸベットボタン１３１が押された際に、貯留されているメダル枚数が２枚の場合は２枚投入され、１枚の場合は１枚投入される。
【００５４】
精算ボタンスイッチ３２５は、精算ボタン１３８が操作されたことを検出し、これを受けたＣＰＵ３１０は、ホッパモータを駆動させてメダル払出装置（ホッパ）から貯留メダルを払い出す。リセットスイッチ３２６は、エラー等の復旧後に操作されると、ＲＡＭ３１３の特定エリアをクリアして通常稼働状態に復帰させるものである。メダル払出センサ３２７は、メダル払出装置によって払い出されたメダルを検出し、適正数の払出制御を行うためのものである。なお、以上の各センサは、非接触式のセンサであっても接点式のセンサであってもよい。
【００５５】
ＣＰＵ３１０には、さらに、入力インタフェース３６１、出力インタフェース３７０，３７１がアドレスデコード回路３５０を介してアドレスバスに接続されている。ＣＰＵ３１０は、これらのインタフェースを介して外部のデバイスと信号の送受信を行っている。
【００５６】
入力インタフェース３６１には、インデックスセンサ３２８が接続されている。インデックスセンサ３２８は、具体的には、各リール１１０〜１１２の取付台の所定位置に設置されており、リールに設けた遮光片がこのインデックスセンサ３２８を通過するたびにＨレベルになる。ＣＰＵ３１０は、この信号を検出すると、リールが１回転したものと判断し、リールの回転位置情報をゼロにリセットする。
【００５７】
出力インタフェース３７０には、リールを駆動させるためのリールモータ駆動部３３０と、メダルホッパ２３０のホッパモータを駆動するためのホッパモータ駆動部３３１と、メダルセレクタ６００が備えるメダルブロッカ（後に詳述）の駆動源であるメダルブロッカソレノイドを駆動するためのブロッカソレノイド駆動部３３２と、遊技ランプ３４０（具体的には、入賞ライン表示ランプ１２０、演出用ランプ１２９等）と、払出枚数表示器１２６と、遊技回数表示器１２７と、貯留枚数表示器１２８が接続されている。
【００５８】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、入賞役の内部抽選をはじめ各種抽選処理に使用される。なお、乱数発生回路３１７は、例えば２つの乱数カウンタ（水晶発振器３１１のクロック周波数を用いて０〜６５５３５までの値をインクリメントするカウンタ、および水晶発振器３１６のクロック周波数を用いて０〜１６７７７２１５までの値をインクリメントするカウンタ）を備える。
【００５９】
また、ＣＰＵ３１０のデータバスには、副制御部４００にコマンドを送信するための出力インタフェース３７１が接続されている。
【００６０】
〈副制御部の構成〉
次に、図４を用いて、スロットマシン１００の副制御部４００について説明する。副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。
【００６１】
クロック補正回路４１４は、水晶発振器４１１から発振されたクロックを補正し、補正後のクロックをシステムクロックとしてＣＰＵ４１０に供給する回路である。
【００６２】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００６３】
また、ＣＰＵ４１０には、副制御部４００の全体を制御するための命令及びデータ、バックライトの点灯パターンや各種表示器を制御するためのデータが記憶されたＲＯＭ４１２や、データ等を一時的に保存するためのＲＡＭ４１３が各バスを介して接続されている。
【００６４】
また、ＣＰＵ４１０には、外部の信号を送受信するための入出力インタフェース４６０が接続されており、入出力インタフェース４６０には、遊技毎に有効となる入賞ライン１１４を示す入賞ライン表示ランプ１２０の発光源であるライン表示ＬＥＤ４２０、ＲＡＭ４１３のデータをクリアにするためのリセットスイッチ４２１等が接続されている。
【００６５】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。
【００６６】
また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。
【００６７】
ＣＰＵ４１０には、主制御部３００と同様に、外部ＩＣを選択するためのアドレスデコード回路４５０が接続されており、アドレスデコード回路４５０には、各種演出用のランプへ信号を出力するための出力インタフェース４７０、主制御部３００からのコマンドを受信するための入力インタフェース４６１、液晶画面制御部５００からの信号を入力するための入力インタフェース４７１、時計ＩＣ４２４、７セグメント表示器４４０への信号を出力するための出力インタフェース４７２が接続されている。
【００６８】
時計ＩＣ４２４が接続されていることで、ＣＰＵ４１０は、現在時刻を取得することが可能である。７セグメント表示器４４０は、スロットマシン１００の内部に設けられており、たとえば副制御部４００に設定された所定情報を店の係員等が確認できるようになっている。
【００６９】
更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信したデータに応じて上部ランプ１９０、サイドランプ１５１，１５２、腰部ランプ１５５，１５６、下部ランプ１５７，１５８、リールパネルランプ１４５、タイトルパネルランプ１４６、払出口ストロボ１４７、受け皿ランプ１４８を制御する。
【００７０】
タイトルパネルランプ１４６は、タイトルパネル１４０を照明するランプである。払出口ストロボ１４７は、メダル排出口１６５の内側に設置されたストロボタイプのランプである。受け皿ランプ１４８は、透光性材料で構成したメダル受け皿１６０を受皿取り付け面から照明するランプである。
【００７１】
なお、ＣＰＵ４１０は、液晶画面制御部５００への信号送信は、デマルチプレクサ４１９を介して実施する。逆に、ＣＰＵ４１０は、入力インタフェース４７１を介して液晶画面制御部５００からの信号を受信する。すなわち、ＣＰＵ４１０は、デマルチプレクサ４１９と入力インタフェース４７１を介して液晶画面制御部５００と双方向通信を行う。この液晶画面制御部５００は、ＬＣＤ１８０への表示制御を行う装置である。
【００７２】
〈スロットマシンの遊技実行処理〉
次に、上述した主制御部３００および副制御部４００を備えるスロットマシン１００の遊技実行処理を、図５に基づき説明する。
【００７３】
先ず、メダル投入口ブロック１３３からのメダル投入や３枚メダル投入ボタン１３１もしくは１枚メダル投入ボタン１３２の操作によるメダルを受け付け、メダルを受け付けた場合には、副制御部４００へメダル投入コマンドを送信するメダル受付処理を行う（ステップＳ１０１）。適正にメダルを受け付けた場合にはスタートレバー１３５の操作を受け付け可能とし、遊技者がスタートレバー１３５を適正に操作することによりスタートレバーセンサ３２１からの各検出信号を受けた場合に、その操作が不正操作か否かの判定も併せて行うスタートレバー受付処理を行う（ステップＳ１０２）。
【００７４】
次いで、上記ステップＳ１０２でスタートレバー１３５の操作を受け付けて乱数発生器３１１から乱数を取得したら、この取得された乱数に基づいて各入賞役の内部抽選をする内部抽選処理を行い（ステップＳ１０３）、この抽選結果に応じたリール停止が行えるようにリール停止準備処理を行い（ステップＳ１０４）、続いて、このゲームで行う演出を決定する演出抽選処理を行う（ステップＳ１０５）。
【００７５】
次いで、左リール１１０，中リール１１１，右リール１１２の回転を開始させるリール回転開始処理を行う（ステップＳ１０６）。このリール回転処理において、全リール１１０〜１１２が定速回転となり、停止ボタン１３６ａ〜１３６ｃの受付が可能になると、停止操作許可コマンドを副制御部４００へ送信する。続いて、停止ボタン１３６ａ〜１３６ｃの何れかが操作されて、停止ボタンセンサ３４１〜３４３からの検出信号を受け付ける停止ボタン受付処理を行う（ステップＳ１０７）。停止ボタン受付処理においては、操作された停止ボタン１３６ａ〜１３６ｃに対応する停止ボタン受付コマンド（第１〜第３停止コマンド）を副制御部４００へ送信する。
【００７６】
そして、上記ステップＳ１０７で操作を受け付けた停止ボタンに対応する停止位置情報を示す停止位置情報コマンドを副制御部４００へ送信してリールを停止させるリール停止処理を行い（ステップＳ１０８）、全リール１１０〜１１２に対する停止処理が完了しているか否かを判定し（ステップＳ１０９）、未だ回転中のリールが残っていれば、上記ステップＳ１０７およびステップＳ１０８の処理を行う。
【００７７】
上記のようにして、当該遊技における全リール１１０〜１１２が停止すると、リール表示窓１１３上の有効化された入賞ライン１１４上に、上記Ｓ１０３において内部当選した入賞役に対応して予め定めた図柄の組み合せが揃って停止しているかを判定し、入賞していると判定した場合は副制御部４００へ入賞判定コマンドを送信する入賞判定処理を行い（ステップＳ１１０）、該入賞判定処理で入賞していると判定されていれば入賞役に対応して予め定めた所定数のメダルをメダル払出口１６５より受け皿１６０に払い出し、副制御部４００へ払出枚数コマンドを送信するメダル払出処理を行い（ステップＳ１１１）、その入賞に応じた表示動作や音声出力による入賞演出を行わせる入賞演出コマンドを副制御部４００へ送信する入賞演出処理を行い（ステップＳ１１２）、入賞判定結果に応じて遊技状態コマンドを副制御部４００へ送信する遊技状態更新処理を行う（ステップＳ１１３）。
【００７８】
上述した一連の処理工程を実行することで、１回の遊技が終了し、以後、同様の手順が繰り返されることとなる。
【００７９】
すなわち、上述した遊技実行処理を行う主制御部３００および副制御部４００を備えるスロットマシン１００は、「複数種類の絵柄が施された複数のリール」と、「複数のリールの回転を開始させるスタートスイッチ」と、「複数のリールそれぞれに対応して設けられ、前記リールの回転を個別に停止させるストップスイッチ」と、「予め定められた複数種類の入賞役の内部当選の当否を抽選により判定する抽選手段」と、「停止時の前記複数のリールにより表示された絵柄の組合せが、前記抽選手段により内部当選した入賞役の絵柄組合せであるか否かにより当該入賞役への入賞を判定する判定手段」と、を備えた遊技台として機能する。
【００８０】
〈メダルセレクタの第１実施形態〉
次に、図６〜図９に基づいて、上記スロットマシン１００に搭載するメダルセレクタ６００の第１実施形態を説明する。なお、以下の説明においては、便宜上、メダルセレクタ６００を取り付けるスロットマシン１００の前面方向を前方、スロットマシン１００の背面方向を後方、スロットマシン１００の上面方向を上方、スロットマシン１００の下面方向を下方とする。
【００８１】
第１実施形態に係るメダルセレクタ６００Ａは、メダル投入口ブロック１３３のメダル投入口に投入されたメダルを選別し、サイズの小さい不正なメダルを選別して受け皿１６０に排出すると共に、正規のメダルを取り込んでメダルホッパ２３０のメダルタンクに送り出すユニット化された装置で、転動するメダルの一側面および他側面をガイドしつつメダル転動面上を転動させて所定の位置へ案内するメダル案内通路を構成するためのメダル案内部と、電気的に作動する電気部品とを備える。
【００８２】
メダルセレクタ６００Ａの具体的構造は、図６および図７に示すように、前面扉１０１に取り付ける本体ベース６１０Ａにメダルの一側面をガイドする第１ガイド手段６２０Ａを着脱可能に取り付け、この第１ガイド手段６２０Ａには、メダルが転動するメダル転動面６３１が形成された下部ガイドレール６３０Ａ、メダルの他側面をガイドする第２ガイド手段６４０Ａを着脱可能に取り付け、これら第１，第２ガイド手段６２０Ａ，６４０Ａと下部ガイドレール６３０Ａより成るメダル案内部によって構成されるメダル案内通路へ可動規制部６５１を突入させてメダルの通過を制限する通過制限状態と可動規制部６５１をメダル案内通路から退避させてメダルの通過を許容する通過許容状態とに変換可能なメダルブロッカ６５０を本体ベース６１０Ａに取り付け、本体ベース６１０Ａにおいてメダル案内通路の流下端部となる位置（メダルブロッカ６５０よりも下流となる位置）にはメダルセンサユニット６６０（例えば、メダルの通過を電気的に検出するメダル受付センサを流路方向に２個配置した構造のユニット）を設けたものである。なお、本実施形態のメダルセレクタ６００Ａにおいては、電気的に作動する電気部品として、メダルブロッカ６５０とメダルセンサユニット６６０を備えるものとしたが、例えば、メダルセンサユニット６６０はメダルセレクタ６００Ａよりも下流側となる流路へ別々に設けて、メダルを検出するようにしても良い。
【００８３】
本体ベース６１０Ａは、板状の主取付部６１１の左右両側に第１側壁部６１２（メダル案内通路の上流側で後方に屈曲する壁部）と第２側壁部６１３（メダル案内通路の下流側で後方に屈曲する壁部）を備え、これら第１，第２側壁部６１２，６１３によって、カバーガイド６７０を開閉・着脱可能に保持する。このカバーガイド６７０は、メダル案内通路を通過できずに排除されたメダル（不適正なメダルとして案内通路を通過させなかったメダルやメダル受付不可中に投入されたメダル）を受け皿１６０へ排出するメダル排出流路へ導くようにガイドするものである。
【００８４】
また、本体ベース６１０Ａの第２側壁部６１３には、メダル導出口６１３ａを設けてあり、メダル案内部により構成されたメダル案内通路の最下流出口に流下してきたメダルをメダル導出口６１３ａから排出する。そして、このメダル導出口６１３ａを通過するメダルを検出できるように、第２側壁部６１３には、センサユニット取付補助基板６１３ｂを介して所要位置にセンサユニット６６０を取り付けてある。なお、このメダル導出口６１３ａを通過したメダルは、本体ベース６１０Ａに取り付けたメダルシュート６８０によりメダルホッパ２３０のメダルタンクへ誘導される。
【００８５】
一方、上記本体ベース６１０Ａの主取付部６１１に着脱可能に取り付ける第１ガイド手段６２０Ａは、本体ベース６１０Ａに取り付けられる第１ガイドベース６２１を備え、該第１ガイドベース６２１には、メダルが自重により上流から下流へ転動流下するメダル転動面６３１となるように傾斜をつけて下部ガイドレール６３０Ａを取り付け可能な下部ガイドレール取付部６２１ａと、メダルの上部側面をガイドする上部ガイドレール部６２２ａを形成した上部ガイドレール部材６２２と、上部ガイドレール部６２２ａと下部ガイドレール取付部６２１ａとの間においてメダル案内通路の側方に開口するメダル選別口６２１ｂとを設けたものである。
【００８６】
なお、下部ガイドレール６３０Ａは、ネジ等の固着手段７０１によって下部ガイドレール取付部６２１ａの適正位置へ取り付け、この下部ガイドレール６３０Ａを適正に取り付けた第１ガイド手段６２０Ａが本体ベース６１０Ａの適正位置に適正な状態で取り付けられ、且つ、本体ベース６１０Ａが前面扉１０１の適正位置へ取り付けられると、下部ガイドレール６３０Ａの上面となるメダル転動面６３１が上流から下流へメダルを円滑に転動させる傾斜面となる条件が整う。
【００８７】
下部ガイドレール６３０Ａが取り付けられた第１ガイド手段６２０Ａを本体ベース６１０Ａの適正位置へ安定的に取り付けることができ、尚かつ、ガイドベース６１０Ａと第１ガイド手段６２０Ａとの着脱が容易な取付構造であれば、如何様な取付構造を採用しても構わないが、本実施形態においては、本体ベース６１０Ａの主取付部６１１に、大径開口の下部に狭小開口を連設した取付孔７１１を複数（例えば、３箇所）設け、第１ガイドベース６２１の対応する位置には、ワッシャ７１２ａとバネ７１２ｂを介挿してネジ７１２ｃを止着した取付部７１２を設ける構造とした。この構造であれば、各取付部７１２のネジ７１２ｃの頭部を取付孔７１１の大径部に挿通させて下方に落とし込むという簡単な取付方法で、ネジ７１２ｃの軸部が取付孔７１１の狭小部に嵌まって抜けなくなり、また、取付部７１２のワッシャ７１２ａとバネ７１２ｂによって第１ガイドベース６２１がガタ付くことなく安定した取付状態を維持できる。取り外す場合には、第１ガイドベース６２１を若干持ち上げて取付部７１２のネジ７１２ｃの頭部を取付孔７１１の大径部から抜き戻せばよいので、取り外し作業も簡単である。
【００８８】
また、第１ガイド手段６２０Ａを本体ベース６１０Ａに取り付けたときに、第１ガイドベース６２１のメダル選別口６２１ｂが閉塞されないように、主取付部６１１の対応部位にメダル選別用切欠部６１４を設け、このメダル選別用切欠部６１４および第１ガイドベース６２１のメダル選別口６２１ｂを介してメダルブロッカ６５０の可動規制部６５１がメダル案内通路に臨むようにしてある。このように本体ベース６１０Ａに取り付けられるメダルブロッカ６５０は、可動規制部６５１と該可動規制部６５１の駆動源であるブロッカソレノイド６５２とをユニット化したもので、例えば、ブロッカソレノイド６５２がＯＮすることで可動規制部６５１がスプリング等の付勢手段に抗して吸着されているときは、可動規制部６５１がメダル案内通路から退避してメダルの通過を許容し、ブロッカソレノイド６５２がＯＦＦになって、可動規制部６５１が付勢手段によりメダル案内通路に突入すると、メダルの通過を規制するものである。
【００８９】
更に、本体ベース６１０Ａには、第１ガイド手段６２０Ａが適正に取り付けられた状態か否かを検知する検知手段として取付状態センサ６１５を設けてあり、第１ガイド手段６２０Ａが適正に取り付けられていれば、取付状態センサ６１５の検知部６１５ａが第１ガイドベース６２１によって押圧されることで、取付状態にあることを検知するものとした。例えば、第１ガイド手段６２０Ａが適切に装着されていないままスロットマシン１００へメダルが投入されると、メダルの選別機能が働かず、遊技台として機能しないので、このような不具合が生じないように、取付状態センサ６１５が第１ガイド手段６２０Ａの未取付状態を検知しているときは、正常稼働しないように制御したり、係員等に第１ガイド手段６２０Ａが未取付状態である旨を報知したりできる。このような取付状態を検知する検知手段は、上述したセンサユニット６６０の取付状態を検知するように用いても良いし、メダルブロッカ６５０の未取付状態を検知するように用いても良い。
【００９０】
上記のようにして本体ベース６１０Ａに取り付けられる第１ガイド手段６２０Ａは、後方面がメダルガイド面（下部ガイドレール取付部６２１ａを設けた面）となり、メダルの一側面をガイドする。なお、上部ガイドレール部材６２２は、第１ガイドベース６２１のメダルガイド面よりも突出（下部ガイドレール６３０Ａの厚さと同程度突出）し、上部ガイドレール部６２２ａは第１ガイドベース６２１のメダルガイド面と略々面一で、その突出量は小さいものとした。すなわち、適正なメダルが投入されてメダル案内通路を通過するときには、メダル転動面６３１を転動するメダルの上端側面が上部ガイドレール部６２２ａにガイドされることとなるが、適正なメダルよりも小さなメダルが投入されてメダル案内通路を通過するときには、メダル転動面６３１を転動するメダルの上端が上部ガイドレール部６２２ａに達しないので、上部ガイドレール部６２２ａにガイドされないのである。なお、本実施形態に係るメダルセレクタ６００Ａの第１ガイド手段６２０Ａにおいては、第１ガイドベース６２１とは別途形成した上部ガイドレール部材６２２を第１ガイドベース６２１の適所に取り付けることで、上部ガイドレール部６２２ａが形成されるものとしたが、第１ガイドベース６２１に上部ガイドレール部を一体に形成するようにしても構わない。
【００９１】
また、第１ガイドベース６２１の上部に設けた支軸６２１ｃには、返却部材６２３を揺動自在に設けてあり、第１ガイドベース６２１の反メダルガイド面（下部ガイドレール取付部６２１ａを設けていない面）側より、返却ガイド部６２３ａがメダル選別口６２１ｂの開口近傍へ臨む定常状態が保持されるように、上記支軸６２１ｃに装着したコイルスプリング等の付勢手段６２４で付勢する。
【００９２】
上記第１ガイド手段６２０Ａに着脱可能に取り付けられる第２ガイド手段６４０Ａは、第２ガイドベース６４１の上部に設けた回動保持部６４２に設けた左右の軸受凹部６４２ａを第１ガイド手段６２０Ａの支軸１２１ｃに嵌入すると共に、この支軸１２１ｃに装着された付勢手段６２４の弾性係止部６２４ａを回動保持部６４２の係止受け孔６４２ｂに嵌め入れて係止する。これにより、第１ガイド手段６２０Ａに取り付けられた第２ガイド手段６４０Ａの第２ガイドベース６４１は、常態において第１ガイドベース６２１のメダルガイド面に向けて付勢された状態に保持され、常態においては付勢手段６２４によって返却ガイド部６２３ａがメダル選別口６２１ｂから退避している返却部材６２３が外力で押圧され、返却ガイド部６２３ａがメダル選別口６２１ｂへ突入するように回動する際には、第２ガイド手段６４０Ａも返却部材６２３と一体になって回動する。
【００９３】
また、第２ガイド手段６４０Ａの第２ガイドベース６４１は、第１ガイドベース６２１に取り付けた下部ガイドレール６３０Ａの上流側側面に当接する程度に下方へ延出する上流側流路形成部６４１ａと、第１ガイドベース６２１のメダル選別口６２１ｂに対応させるように下方延出量を抑制した押出ガイド取付部６４１ｂとからなり、押出ガイド取付部６４１ｂの反メダルガイド面（第１ガイドベース６２１と対向しない面）側に押出ガイド部材６４３を回動可能に軸支し、スプリング等の付勢手段６４４によって押出ガイド部材６４３が備えるメダル押圧部６４３ａが比較的緩い力でメダル選別口６２１ｂに突入するように付勢してある。
【００９４】
すなわち、適正なメダルが投入されてメダル案内通路を通過するときには、メダル転動面６３１を転動するメダルの上端側面が上部ガイドレール部６２２ａにガイドされているので、押出ガイド部材６４３のメダル押出部６４３ａによってメダルの流下が妨げられることはないが、適正なメダルよりも小さなメダルが投入されてメダル案内通路を通過するときには、メダル転動面６３１を転動するメダルの上端が上部ガイドレール部６２２ａに達しないので、上部ガイドレール部６２２ａにガイドされないため、押出ガイド部材６４３のメダル押出部６４３ａの緩い押圧力を受けるだけでメダルは案内通路から外れて転倒するのである。
【００９５】
ここで、メダルセレクタ６００Ａによるメダル選別機能について説明する。図９（ａ）は、下部ガイドレール６３０Ａを取り付けた第１ガイド手段６２０Ａを本体ベース６１０Ａに取り付けた状態を示し、第２ガイド手段６４０Ａは取り外してメダル案内通路におけるメダルの流下状態を見え易くしてあり、図９（ｂ１）は、図９（ａ）におけるＸ−Ｘ′断面を示し、図９（ｂ２）は、図９（ａ）におけるＹ−Ｙ′断面を示し、図９（ｂ３）は、図９（ａ）におけるＺ−Ｚ′断面を示す。
【００９６】
先ず、遊技者がメダル詰まりを解除するために、メダル返却スイッチ１３４を操作すると、図９（ｂ１）に示すように、メダル返却スイッチ１３４の操作と連動する押圧部１３４ａが返却部材６２３の受圧部６２３ｂを押圧し、返却部材６２３が付勢手段６２４の不正に抗して回動し、返却ガイド部６２３ａがメダル選別口６２１ｂの中に突入する。このとき、第２ガイド手段６４０Ａも一体に回動するので、押出ガイド部材６４３が障害となることはなく、メダル案内通路に詰まっていたメダルＭが押し出されて落下し、受け皿１６０へ排出される。
【００９７】
また、適正なメダルよりも小さなメダルＭ′が投入されると、図９（ｂ２）に示すように、メダル案内通路を通過するときに、メダル転動面６３１を転動するメダルＭ′の上端が上部ガイドレール部６２２ａに達しないので、上部ガイドレール部６２２ａにガイドされないため、押出ガイド部材６４３のメダル押出部６４３ａの緩い押圧力を受けて、メダルＭ′の上部が返却部材６２３側に傾くように転倒し、受け皿１６０へ排出される。
【００９８】
また、メダルブロッカ６５０のブロッカソレノイド６５２がＯＦＦになっているメダル受入れ不可状態においては、可動規制部６５１がメダル案内通路に臨む状態にあるため、メダル転動面６３１を転動するメダルＭは流下を阻害され、メダルＭは案内通路から外れて転倒し、受け皿１６０へ排出される。
【００９９】
一方、メダルブロッカ６５０のブロッカソレノイド６５２がＯＮになっているメダル受入れ可能状態において、上部ガイドレール部６２２ａにガイドされ得る適正サイズのメダルがメダル案内通路を流下した場合には、メダル案内通路を通り抜け、センサユニット６６０により検知された後、メダルシュート６８０によりメダルホッパ２３０のメダルタンクへ誘導される。
【０１００】
上述した本実施形態に係るメダルセレクタ６００Ａにおいては、遊技台１００の前面扉１０１に取り付けられて電気部品であるメダルブロッカ６５０およびセンサユニット６６０が設けられている本体ベース６１０Ａから第１ガイド手段６２０Ａを容易に取り外すことができ、尚かつ、この第１ガイド手段６２０Ａに下部ガイドレール６３０Ａを取り付けてあるので、本体ベース６１０Ａから取り外した第１ガイド手段６２０Ａを丸洗いすることにより、メダルの周面と一側面が当接することで汚れ易い案内部を効率的に清掃することができ、メンテナンスが容易である。また、本実施形態においては、第３ガイド手段６４０Ａも第１ガイド手段６２０Ａに着脱可能に設けたので、メダルの他側面が当接して付着した汚れの除去も容易である。
【０１０１】
なお、メダルセレクタ６００Ａにおいて、第１ガイド手段６２０Ａのガイドベース６２１における下部ガイドレール取付部６２１ａに対し、下部ガイドレール６３０Ａを着脱可能に設けるようにしても構わない。すなわち、本体ベース６１０Ａから取り外した第１ガイド手段６２０Ａから、更に下部ガイドレール６３０Ａを取り外すことができる構成とすれば、メダル案内部の清掃を一層効率良く行うことができるのである。斯く構成する場合は、第１ガイド手段６２０Ａが本体ベース６１０Ａに取り付けられた状態を検知する取付状態センサ６１５とは別に、第１ガイド手段６２０Ａのガイドベース６２１に下部ガイドレール６３０Ａが適正に取り付けられた状態か否かを検知する検知手段を本体ベース６１０Ａに設けても良い。
【０１０２】
あるいは、メダルセレクタ６００Ａにおいて、第１ガイド手段６２０Ａのガイドベース６２１を本体ベース６１０Ａに固定し（ビス止めや溶接等で容易に取り外せないように取り付け）、下部ガイドレール６３０Ａを第１ガイド手段６２０Ａにおけるガイドベース６２１の下部ガイドレール取付部６２１ａへ着脱可能に設けるようにしても構わない。すなわち、本体ベース６１０Ａに固定されている第１ガイド手段６２０Ａから下部ガイドレール６３０Ａを取り外すことができるようにした構成においても、メダル案内部の清掃を効率良く行うことができるのである。斯く構成する場合は、第１ガイド手段６２０Ａのガイドベース６２１に下部ガイドレール６３０Ａが適正に取り付けられた状態か否かを検知する検知手段を本体ベース６１０Ａに設けても良い。
【０１０３】
〈メダルセレクタの第２実施形態〉
次に、図１０に基づいて、メダルセレクタ６００の第２実施形態であるメダルセレクタ６００Ｂにつき説明する。なお、第１実施形態のメダルセレクタ６００Ａと同一構成については、同一符号を付して説明を省略する。また、以下の説明においても、便宜上、メダルセレクタ６００Ｂを取り付けるスロットマシン１００の前面方向を前方、スロットマシン１００の背面方向を後方、スロットマシン１００の上面方向を上方、スロットマシン１００の下面方向を下方とする。
【０１０４】
メダルセレクタ６００Ｂは、図１０（ａ），（ｂ）に示すように、スロットマシン１００の前面扉１０１に取り付ける本体ベース６１０Ｂの主取付部６１１にメダル案内通路の側方に開口するメダル選別口６１６を開設し、該メダル選別口６１６の開口上部側適所に上部ガイドレール６２２ａが位置するように第１ガイド手段６２０Ｂを取り付ける第１ガイド手段取付部６１７ａを設け、上記メダル選別口６１６の開口下部側にはメダルが自重により上流から下流へ転動流下するメダル転動面６３１となるように傾斜をつけて下部ガイドレール６３０Ｂを取り付け可能な下部ガイドレール取付部６１７ｂを設け、第２ガイド手段６４０Ｂは、第１ガイド手段６２０Ｂに着脱自在とした。また、本体ベース６１１のメダル選別口６１６を介して可動規制部６５１がメダル案内通路に臨むようにメダルブロッカ６５０を取り付けると共に、メダル案内通路の最下流出口に流下してメダル導出口６１３ａを通過するメダルを検出できるようにセンサユニット６６０を取り付けてある。
【０１０５】
ここで、下部ガイドレール６３０Ｂは、本体ベース６１０Ｂの下部ガイドレール取付部６１７ｂへ安定的に取り付けることができ、尚かつ、本体ベース６１０Ｂとの着脱が容易な取付構造とする。例えば、前述した第１実施形態における本体ベース６１０Ａと第１ガイド手段６２０Ａとの着脱構造と同様に、本体ベース６１０Ａの主取付部６１１における下部ガイドレール取付部６１７ｂに、大径開口の下部に狭小開口を連設した取付孔７１１を複数（例えば、２箇所）設け、下部ガイドレール６３０Ｂの対応する位置には、ワッシャ７１２ａとバネ７１２ｂを介挿してネジ７１２ｃを止着した取付部７１２を設ける構造とした。この構造であれば、各取付部７１２のネジ７１２ｃの頭部を取付孔７１１の大径部に挿通させて下方に落とし込むという簡単な取付方法で、ネジ７１２ｃの軸部が取付孔７１１の狭小部に嵌まって抜けなくなり、また、取付部７１２のワッシャ７１２ａとバネ７１２ｂによって下部ガイドレール６３０Ｂがガタ付くことなく安定した取付状態を維持できる。取り外す場合には、下部ガイドレール６３０Ｂを若干持ち上げて取付部７１２のネジ７１２ｃの頭部を取付孔７１１の大径部から抜き戻せばよいので、取り外し作業も簡単である。
【０１０６】
すなわち、本実施形態においては、メダル案内通路を構成する第１ガイド手段６２０Ｂ、下部ガイドレール６３０Ｂ、第２ガイド手段６４０Ｂのうち、下部ガイドレール６３０Ｂと第２ガイド手段６４０Ｂを本体ベース６１０Ｂから容易に取り外せる構造とし、電気部品を含まない下部ガイドレール６３０Ｂと第２ガイド手段６４０Ｂを丸洗いすることにより、メダルの周面と他側面が当接することで汚れ易い案内部を効率的に清掃することができ、メンテナンスが容易である。なお、下部ガイドレール６３０Ｂを取り外すことにより、本体ベース６１０Ｂの主取付部６１１において、メダルの下部側面が押し当たる部位（例えば、メダル選別口６１６の下縁部に近接する部位）の清掃が容易になると言うメリットもある。
【０１０７】
また、本体ベース６１０Ｂには、下部ガイドレール６３０Ｂが適正に取り付けられた状態か否かを検知する検知手段として取付状態センサ６１５を設けてあり、下部ガイドレール６３０Ｂが適正に取り付けられていれば、取付状態センサ６１５の検知部６１５ａが下部ガイドレール６３０Ｂによって押圧されることで、取付状態にあることを検知するものとした。例えば、下部ガイドレール６３０Ｂが適切に装着されていないままスロットマシン１００へメダルが投入されると、メダルの選別機能が働かず、遊技台として機能しないので、このような不具合が生じないように、取付状態センサ６１５が下部ガイドレール６３０Ｂの未取付状態を検知しているときは、正常稼働しないように制御したり、係員等に下部ガイドレール６３０Ｂが未取付状態である旨を報知したりできる。
【０１０８】
〈メダルセレクタの第３実施形態〉
次に、図１１に基づいて、メダルセレクタ６００の第３実施形態であるメダルセレクタ６００Ｃにつき説明する。なお、第１，第２実施形態のメダルセレクタ６００Ａ，６００Ｂと同一構成については、同一符号を付して説明を省略する。また、以下の説明においても、便宜上、メダルセレクタ６００Ｃを取り付けるスロットマシン１００の前面方向を前方、スロットマシン１００の背面方向を後方、スロットマシン１００の上面方向を上方、スロットマシン１００の下面方向を下方とする。
【０１０９】
メダルセレクタ６００Ｃは、図１１（ａ），（ｂ）に示すように、前面扉１０１に取り付ける本体ベース６１０Ｃにメダルの一側面をガイドする第１ガイド手段６２０Ｃを着脱可能に取り付け、この第１ガイド手段６２０Ｃにはメダルの他側面をガイドする第２ガイド手段６４０Ｃを着脱可能に取り付け、メダルが転動するメダル転動面６３１が形成された下部ガイドレール６３０Ｃは、本体ベース６１０Ｃの主取付部６１１の所定部位（メダル選別用切欠部６１４の下縁部の下方近傍）に設け、これら第１，第２ガイド手段６２０Ｃ，６４０Ｃと下部ガイドレール６３０Ｃより成るメダル案内部によって構成されるメダル案内通路へ可動規制部６５１を突入させてメダルの通過を制限する通過制限状態と可動規制部６５１をメダル案内通路から退避させてメダルの通過を許容する通過許容状態とに変換可能なメダルブロッカ６５０を本体ベース６１０Ｃに取り付け、本体ベース６２０Ｃにおいてメダル案内通路の流下端部となる位置（メダルブロッカ６５０よりも下流となる位置）にはメダルセンサユニット６６０（例えば、メダルの通過を電気的に検出するメダル受付センサを流路方向に２個配置した構造のユニット）を設けた。
【０１１０】
ここで、第２ガイド手段６４０Ｃが着脱可能に取り付けられる第１ガイド手段６２０Ｃを本体ベース６１０Ｃの適正位置へ安定的に取り付ける取付構造は、前述した第１実施形態に係るメダルセレクタ６００Ａと同様に、本体ベース６１０Ｃの主取付部６１１に、大径開口の下部に狭小開口を連設した取付孔７１１を複数（例えば、２箇所）設け、第１ガイドベース６２１の対応する位置には、ワッシャ７１２ａとバネ７１２ｂを介挿してネジ７１２ｃを止着した取付部７１２を設ける構造とした。この構造であれば、各取付部７１２のネジ７１２ｃの頭部を取付孔７１１の大径部に挿通させて下方に落とし込むという簡単な取付方法で、ネジ７１２ｃの軸部が取付孔７１１の狭小部に嵌まって抜けなくなり、また、取付部７１２のワッシャ７１２ａとバネ７１２ｂによって第１ガイドベース６２１がガタ付くことなく安定した取付状態を維持できる。取り外す場合には、第１ガイドベース６２１を若干持ち上げて取付部７１２のネジ７１２ｃの頭部を取付孔７１１の大径部から抜き戻せばよいので、取り外し作業も簡単である。
【０１１１】
また、本体ベース６１０Ｃには、第１ガイド手段６２０Ｃが適正に取り付けられた状態か否かを検知する検知手段として取付状態センサ６１５を設けてあり、第１ガイド手段６２０Ｃが適正に取り付けられていれば、取付状態センサ６１５の検知部６１５ａが第１ガイドベース６２１によって押圧されることで、取付状態にあることを検知するものとした。例えば、第１ガイド手段６２０Ｃが適切に装着されていないままスロットマシン１００へメダルが投入されると、メダルの選別機能が働かず、遊技台として機能しないので、このような不具合が生じないように、取付状態センサ６１５が第１ガイド手段６２０Ｃの未取付状態を検知しているときは、正常稼働しないように制御したり、係員等に第１ガイド手段６２０Ｃが未取付状態である旨を報知したりできる。
【０１１２】
上述した本実施形態のメダルセレクタ６００Ｃにおいては、メダル案内通路を構成する第１ガイド手段６２０Ｃ、下部ガイドレール６３０Ｃ、第２ガイド手段６４０Ｃのうち、第１ガイド手段６２０Ｃと第２ガイド手段６４０Ｃを本体ベース６１０Ｃから容易に取り外せる構造とし、電気部品を含まない第１ガイド手段６２０Ｃと第２ガイド手段６４０Ｃを丸洗いすることにより、メダルの一側面と他側面が当接することで汚れ易い案内部を効率的に清掃することができ、第１ガイド手段６４０Ｃを取り外すことで、下部ガイドレール６３０Ｃのメダル転動面６３１の清掃作業も効率良く行うことができ、メンテナンスが容易である。
【０１１３】
なお、下部ガイドレール６３０Ｃは、本体ベース６１０Ｃとは別部材として形成し、ネジ等の止着手段によって主取付部６１１に止着する構造でも良いし、本体ベース６１０Ｃに一体成型するようにしても構わない。何れにしても、案内部により形成されるメダル案内通路を通過するメダルは、本体ベース６１０Ｃの主取付部６１１に当着した第１ガイド手段６２０Ｃに一側面が当接するので、メダルの周面が押し当たるのはメダル案内通路６３１の開放端縁側（主取付部６１１に当接していない側）となり、メダルから付着した汚れの清掃作業は簡単に行うことができる。
【０１１４】
〈メダルセレクタの第４実施形態〉
次に、図１２に基づいて、メダルセレクタ６００の第４実施形態であるメダルセレクタ６００Ｄにつき説明する。なお、第１〜第３実施形態のメダルセレクタ６００Ａ〜６００Ｃと同一構成については、同一符号を付して説明を省略する。
【０１１５】
メダルセレクタ６００Ｄは、図１２（ａ），（ｂ）に示すように、前面扉１０１に取り付ける本体ベース６１０Ｄにメダルの一側面をガイドする第１ガイド手段６２０Ｄを着脱可能に取り付け、この第１ガイド手段６２０Ｄにはメダルの他側面をガイドする第２ガイド手段６４０Ｄを着脱可能に取り付け、メダルが転動するメダル転動面６３１が形成された下部ガイドレール６３０Ｄは、本体ベース６１０Ｄの主取付部６１１の所定部位（メダル選別用切欠部６１４の下縁部の下方近傍）に形成した下部ガイドレール取付部６１７ｂ（メダルが自重により上流から下流へ転動流下するメダル転動面６３１となるように傾斜をつけて下部ガイドレール６３０Ｄを取り付け可能な部位）へ着脱可能に取り付け、これら第１，第２ガイド手段６２０Ｄ，６４０Ｄと下部ガイドレール６３０Ｄより成るメダル案内部によって構成されるメダル案内通路へ可動規制部６５１を突入させてメダルの通過を制限する通過制限状態と可動規制部６５１をメダル案内通路から退避させてメダルの通過を許容する通過許容状態とに変換可能なメダルブロッカ６５０を本体ベース６１０Ｄに取り付け、本体ベース６２０Ｄにおいてメダル案内通路の流下端部となる位置（メダルブロッカ６５０よりも下流となる位置）にはメダルセンサユニット６６０を設けた。
【０１１６】
ここで、第２ガイド手段６４０Ｄが着脱可能に取り付けられる第１ガイド手段６２０Ｄを本体ベース６１０Ｄの適正位置へ安定的に取り付ける取付構造と、下部ガイドレール６３０Ｃを本体ベース６１０Ｄの適正位置へ安定的に取り付ける取付構造は、前述した第１〜第３実施形態に係るメダルセレクタ６００Ａ〜６００Ｃと同様に、本体ベース６１０Ｄの主取付部６１１に、大径開口の下部に狭小開口を連設した取付孔７１１を複数（例えば、第１ガイド手段６２０Ｄ用に２箇所、下部ガイドレール６３０Ｄ用に２箇所）設け、第１ガイドベース６２１と下部ガイドレール６３０Ｄの対応する位置には、ワッシャ７１２ａとバネ７１２ｂを介挿してネジ７１２ｃを止着した取付部７１２を設ける構造とした。この構造であれば、各取付部７１２のネジ７１２ｃの頭部を取付孔７１１の大径部に挿通させて下方に落とし込むという簡単な取付方法で、ネジ７１２ｃの軸部が取付孔７１１の狭小部に嵌まって抜けなくなり、また、取付部７１２のワッシャ７１２ａとバネ７１２ｂによって第１ガイドベース６２１および下部ガイドレール６３０Ａがガタ付くことなく安定した取付状態を維持できる。取り外す場合には、第１ガイドベース６２１または下部ガイドレール６３０Ｄを若干持ち上げて取付部７１２のネジ７１２ｃの頭部を取付孔７１１の大径部から抜き戻せばよいので、取り外し作業も簡単である。
【０１１７】
また、本体ベース６１０Ｄには、第１ガイド手段６２０Ｄが適正に取り付けられた状態か否かを検知する検知手段と、下部ガイドレール６３０Ｄが適正に取り付けられた状態か否かを検知する検知手段として、各々に対応させて取付状態センサ６１５を設けてあり、第１ガイド手段６２０Ｄおよび下部ガイドレール６３０Ｄが適正に取り付けられていれば、各取付状態センサ６１５の検知部６１５ａが第１ガイドベース６２１および下部ガイドレール６３０Ｄによって押圧されることで、取付状態にあることを検知するものとした。例えば、第１ガイド手段６２０Ｄまたは下部ガイドレール６３０Ｄの何れか一方でも適切に装着されていないままスロットマシン１００へメダルが投入されると、メダルの選別機能が働かず、遊技台として機能しないので、このような不具合が生じないように、何れかの取付状態センサ６１５が第１ガイド手段６２０Ｄまたは下部ガイドレール６３０Ｄの未取付状態を検知しているときは、正常稼働しないように制御したり、係員等に第１ガイド手段６２０Ｄまたは下部ガイドレール６３０Ｄの何れか（もしくは両方）が未取付状態である旨を報知したりできる。
【０１１８】
上述した本実施形態のメダルセレクタ６００Ｄにおいては、メダル案内通路を構成する第１ガイド手段６２０Ｄ、下部ガイドレール６３０Ｄ、第２ガイド手段６４０Ｄのうち、第１ガイド手段６２０Ｄと下部ガイドレール６３０Ｄを本体ベース６１０Ｄから容易に取り外せる構造とし、尚かつ、第２ガイド手段６４０Ｄは第１ガイド手段６２０Ｄから着脱可能な構造としたので、電気部品を含まない第１ガイド手段６２０Ｄと下部ガイドレール６３０Ｄと第２ガイド手段６４０Ｄを丸洗いすることにより、メダルが当接することで汚れ易い案内部（メダル転動面と両側ガイド部）を効率的に清掃することができ、メンテナンスが容易である。
【０１１９】
なお、メダルセレクタ６００Ｄにおいて、第１ガイド手段６２０Ｄのガイドベース６２１を本体ベース６１０Ｄに固定し（ビス止めや溶接等で容易に取り外せないように取り付け）、下部ガイドレール６３０Ｄを本体ベース６１０Ｄの下部ガイドレール取付部６１７ｂへ着脱可能に設けるようにしても構わない。すなわち、第１ガイド手段６２０Ｄは本体ベース６１０Ｄに固定し、本体ベース６１０Ｄから下部ガイドレール６３０Ｄだけを取り外すことができるようにした構造においても、メダル案内部の清掃を効率良く行うことができるのである。
【０１２０】
〈メダルセレクタの第５実施形態〉
次に、図１３に基づいて、メダルセレクタ６００の第５実施形態につき説明する。なお、図１３（ａ），（ｂ）には、第１ガイド手段６２０Ｅ，下部ガイドレール６３０Ｅ，第２ガイド手段６４０Ｅのみを示し、第１ガイド手段６２０Ｅが着脱可能に取り付けられる本体ベースの図示を省略したが、本実施形態のメダルセレクタにおける本体ベースは、第１実施形態のメダルセレクタ６００Ａに用いた本体ベース６１０Ａをそのまま適用でき、例えば、第１ガイド手段６２０Ｅの第１ガイドベース６２１を本体ベース６１０Ａの主取付部６１１の適所へ取り付けることで、第１ガイドベース６２１のメダル選別口６２１ｂが主取付部６１１のメダル選別用切欠部６１４と連通し、メダルブロッカ６５０の可動規制部６５１がメダル案内通路に臨むようにする。また、以下の説明においても、便宜上、メダルセレクタ６００を取り付けるスロットマシン１００の前面方向を前方、スロットマシン１００の背面方向を後方、スロットマシン１００の上面方向を上方、スロットマシン１００の下面方向を下方とする。
【０１２１】
第５実施形態に係るメダルセレクタに用いる第１，第２ガイド手段６２０Ｅ，６４０Ｅおよび下部ガイドレール６３０Ｅは、図１３（ａ），（ｂ）に示すように、メダルの一側面をガイドする第１ガイド手段６２０Ｅと、メダルの他側面をガイドする第２ガイド手段６４０Ｅは、蝶番機構により開閉可能な一体構造とし、メダルが転動するメダル転動面６３１が形成された下部ガイドレール６３０は、上記第１ガイド手段６２０Ｅの第１ガイドベース６２１の適所（メダルが自重により上流から下流へ転動流下するメダル転動面６３１となるように傾斜をつけて下部ガイドレール６３０Ｅを取り付け可能な下部ガイドレール取付部）に取り付け、これら第１，第２ガイド手段６２０Ｅ，６４０Ｅと下部ガイドレール６３０Ｅより成るメダル案内部によってメダル案内通路を構成する。
【０１２２】
なお、第１ガイド手段６２０Ｅと第２ガイド手段６４０Ｅを開閉可能に一体化する蝶番機構は特に限定されるものではないが、本実施形態においては、第１ガイドベース６２１の上部に設けた支軸６２１ｃ（返却部材６２３を揺動自在に支持する軸）によって、第２ガイド手段６４０Ｅの第２ガイドベース６４１の上部に設けた回動保持部６４２′に設けた軸受部６４２ｃを支持し、支軸６２１ｃに装着したコイルスプリング等の付勢手段６２４′で第２ガイド手段６４０Ｅを第１ガイド手段６２０Ｅへ押圧するように付勢し、メダル案内通路を転動するメダルの両側面を適切にガイド可能な構造とした。
【０１２３】
上述した第１，第２ガイド手段６２０Ｅ，６４０Ｅおよび下部ガイドレール６３０Ｅで構成した案内部を備える本実施形態のメダルセレクタにおいては、メダル案内通路を構成する第１ガイド手段６２０Ｅ、下部ガイドレール６３０Ｅ、第２ガイド手段６４０Ｅが一体のユニット構造であるから、本体ベースから案内部を効率良く取り外すことができ、電気部品を含まない第１，第２ガイド手段６２０Ｅ，６４０Ｅと下部ガイドレール６３０Ｅを丸洗いすることにより、メダルが当接することで汚れ易い案内部（メダル転動面と両側ガイド部）を効率的に清掃することができ、メンテナンスが容易である。
【０１２４】
〈メダルセレクタの第６実施形態〉
次に、図１４に基づいて、メダルセレクタ６００の第６実施形態につき説明する。なお、図１４には、第１ガイド手段６２０Ｆ，下部ガイドレール６３０Ｆ，第２ガイド手段６４０Ｆのみを示し、第１ガイド手段６２０Ｆが着脱可能に取り付けられる本体ベースの図示を省略したが、本実施形態のメダルセレクタにおける本体ベースは、第１実施形態のメダルセレクタ６００Ａに用いた本体ベース６１０Ａをそのまま適用でき、例えば、第１ガイド手段６２０Ｆの第１ガイドベース６２１を本体ベース６１０Ａの主取付部６１１の適所へ取り付けることで、第１ガイドベース６２１のメダル選別口６２１ｂが主取付部６１１のメダル選別用切欠部６１４と連通し、メダルブロッカ６５０の可動規制部６５１がメダル案内通路に臨むようにする。また、以下の説明においても、便宜上、メダルセレクタ６００を取り付けるスロットマシン１００の前面方向を前方、スロットマシン１００の背面方向を後方、スロットマシン１００の上面方向を上方、スロットマシン１００の下面方向を下方とする。
【０１２５】
第６実施形態に係るメダルセレクタに用いる第１，第２ガイド手段６２０Ｆ，６４０Ｆおよび下部ガイドレール６３０Ｆは、図１４（ａ），（ｂ１），（ｂ２）に示すように、メダルの一側面をガイドする第１ガイド手段６２０Ｆと、メダルの他側面をガイドする第２ガイド手段６４０Ｆとを着脱可能に設け、この第２ガイド手段６４０Ｆに下部ガイドレール６３０Ｆを取り付けたものである。
【０１２６】
メダルが転動するメダル転動面６３１が形成された下部ガイドレール６３０Ｆは、図１４（ｂ３）に示すように、第２ガイド手段６４０Ｆの第２ガイドベース６４１における上流側流路形成部６４１ａに設けた下部ガイドレール取付部６４５（メダルが自重により上流から下流へ転動流下するメダル転動面６３１となるように傾斜をつけて下部ガイドレール６３０Ｆを取り付け可能な形状に設けたガイド凹部）にネジ等の止着手段７２１により取り付け、メダルの両側面を適切にガイドするように第１ガイド手段６２０Ｆに第２ガイド手段６４０Ｆを取り付けると、下部ガイドレール６３０Ｆのメダル転動面６３１が適切な位置に配され、メダル案内通路が構成される。
【０１２７】
なお、下部ガイドレール６３０Ｆは、第２ガイド手段６４０Ｆとは別部材として形成し、止着手段７２１によって第２ガイド手段６４０Ｆに止着する構造としたが、下部ガイドレール６３０Ｆを第２ガイド手段６４０Ｆに溶着して分離不能としても良いし、第２ガイド手段６４０Ｆの加工工程において下部ガイドレール６３０Ｆを一体に成型しても良い。
【０１２８】
上述した第１，第２ガイド手段６２０Ｆ，６４０Ｆおよび下部ガイドレール６３０Ｆで構成した案内部を備える本実施形態のメダルセレクタにおいては、メダル案内通路を構成する第１ガイド手段６２０Ｆ、下部ガイドレール６３０Ｆ、第２ガイド手段６４０Ｆが一体のユニット構造であるから、本体ベースから案内部を効率良く取り外すことができ、電気部品を含まない第１，第２ガイド手段６２０Ｆ，６４０Ｆと下部ガイドレール６３０Ｆを丸洗いすることにより、メダルが当接することで汚れ易い案内部（メダル転動面と両側ガイド部）を効率的に清掃することができ、メンテナンスが容易である。
【０１２９】
〈メダルセレクタの第７実施形態〉
次に、図１５〜図１７に基づいて、上記スロットマシン１００に搭載するメダルセレクタ６００の第７実施形態を説明する。また、以下の説明においても、便宜上、メダルセレクタ６００Ｇを取り付けるスロットマシン１００の前面方向を前方、スロットマシン１００の背面方向を後方、スロットマシン１００の上面方向を上方、スロットマシン１００の下面方向を下方とする。
【０１３０】
第７実施形態に係るメダルセレクタ６００Ｇは、例えば、前述した第１実施形態に係るメダルセレクタ６００Ａの本体ベース６１０Ａと同様な本体ベース６１０Ｇ、第１ガイド手段６２０Ａと同様に本体ベース６１０Ｇに取り付けられる第１ガイド手段６２０Ｇ、下部ガイドレール部材６３０Ａと同様に第１ガイド手段６２０Ｇの下部ガイドレール取付部に取り付けられる下部ガイドレール６３０Ｇ、第２ガイド手段６４０Ａと同様に第１ガイド手段６２０Ｇに着脱可能に取り付けられる第２ガイド手段６４０Ｇ等を備えることに加えて、上記本体ベース６１０Ｇを所定の装着状態に保持するホルダ部材６９０を備える。
【０１３１】
先ず、本体ベース６１０Ｇは、図１６に示すように、左右両側に位置する第１側壁部６１２（メダル案内通路の上流側で後方に屈曲する壁部）と第２側壁部６１３（メダル案内通路の下流側で後方に屈曲する壁部）の外面側には、各々突出状の取付突部６１８を設け、主取付部６１１の前面側（メダルブロッカ６５０が配設されている側）には、メダルブロッカ６５０およびセンサユニット６６０の接続線が集約された本体ベース側コネクタ６１９を設けてある。
【０１３２】
一方、ホルダ部材６９０は、スロットマシン１００の前面扉１０１に取り付けられる主取付部６９１の左右両側から後方（本体ベース６１０Ｇを受入れる側）に立ち上がる第１側壁部６９２と第２側壁部６９３を設け、第２側壁部６９３にはメダルシュート６８０を取り付け、本体ベース６１０Ｇの案内通路を通過したメダルを受け入れて、メダルホッパ２３０のメダルタンクへ誘導するものとした。
【０１３３】
また、第１側壁部６９２には、上記本体ベース６１０Ｇの第１側壁部６１２に設けた２つの取付突部６１８を嵌入できる取付孔６９２ａを設け、第２側壁部６９３には、上記本体ベース６１０Ｇの第２側壁部６１３に設けた取付突部６１８を受入れ得る受入溝６９３ａを設け、本体ベース６１０Ｇを適正な装着状態で保持する構造とした。なお、第２側壁部６１３の受入溝６９３に対応する位置には、有弾性の薄金属板等を加工した着脱操作部材６９４を、その後方自由端が横方向へ揺動可能なように設けてあり、この着脱操作部材６９４の後方自由端側に形成した操作部６９４ａを指などで第２側壁部６９３の外側へ押し開くと、本体ベース６１０Ｇの第２側壁６１３に設けた取付突部６１８をホルダ部材６９０の第２側壁部６９３の受入溝６９３へ導入でき、着脱操作部材６９４を放すと自らの弾性により通常状態に戻り、着脱操作部材６９４に設けた係止孔６９４ｂによって、本体ベース６１０Ｇの第２側壁部６９３に設けた取付突部６１８が後方へ抜け出すことを阻止するため、本体ベース６１０Ｇはホルダ部材６９０によって適切な装着状態に保持される。逆に、着脱操作部材６９４の操作部６９４ａを押し開いて、本体ベース６１０Ｇの第２側壁６１３に設けた取付突部６１８をホルダ部材６９０の第２側壁部６９３の受入溝６９３から後方へ抜き出せば、本体ベース６１０Ｇをホルダ部材６９０から取り外すことができる。
【０１３４】
更に、ホルダ部材６９０における主取付部６９１の後面側（本体ベース６１０Ｇを受入れる側）には、ホルダ側コネクタ６９５を設けてあり、本体ベース６１０Ｇをホルダ部材６９０に適切な状態で装着すると、本体ベース６１０Ｇの本体ベース側コネクタ６１９がホルダ側コネクタ６９５に嵌着される。すなわち、本体ベース６１０Ｇに設けた電気部品（ブロッカソレノイド６５２やセンサユニット６６０）から前面扉１０１への配線接続を個別に行うことなく、本体ベース６１０Ｇの着脱操作を簡易に行うことができる。そして、メダルにより汚れが付着した案内部の清掃を行う際には、本体ベース６１０Ｇをホルダ部材６９０から取り外すことができるので、ホールの係員等が無理な姿勢で清掃作業を行う必要がないという利点がある。
【０１３５】
加えて、ホルダ部材６９０の主取付部６９１には、本体ベース６１０Ｇが適正に取り付けられた状態か否かを検知する検知手段として、取付状態センサ６９６を設けてあり、本体ベース６１０Ｇが適正に取り付けられていれば、取付状態センサ６９６の検知部６９６ａが本体ベース６１０Ｇによって押圧されることで、取付状態にあることを検知するものとした。例えば、ホルダ部材６９０に本体ベース６１０Ｇが適切に装着されていないままスロットマシン１００へメダルが投入されると、メダルの選別機能が働かず、遊技台として機能しないので、このような不具合が生じないように、取付状態センサ６９６が本体ベース６１０Ｇの未取付状態を検知しているときは、正常稼働しないように制御したり、係員等に本体ベース６１０Ｇが未取付状態である旨を報知したりできる。
【図面の簡単な説明】
【０１３６】
【図１】遊技台の一実施形態であるスロットマシンの外観を示す斜視図である。
【図２】前面扉を開いた状態のスロットマシンの斜視図である。
【図３】スロットマシンにおける主制御部の機能ブロック図である。
【図４】スロットマシンにおける副制御部の機能ブロック図である。
【図５】スロットマシンの遊技実行処理を示すフローチャートである。
【図６】第１実施形態に係るメダルセレクタの斜視図である。
【図７】第１実施形態に係るメダルセレクタの分解斜視図である。
【図８】第１実施形態に係るメダルセレクタにおける第１ガイド手段と第２ガイド手段の構造説明図である。
【図９】第１実施形態に係るメダルセレクタの選別動作説明図である。
【図１０】第２実施形態に係るメダルセレクタの分解構造説明図である。
【図１１】第３実施形態に係るメダルセレクタの分解構造説明図である。
【図１２】第４実施形態に係るメダルセレクタの分解構造説明図である。
【図１３】第５実施形態に係るメダルセレクタにおける第１ガイド手段と第２ガイド手段と下部ガイドレールからなるメダル案内部の構造説明図である。
【図１４】第６実施形態に係るメダルセレクタにおける第１ガイド手段と第２ガイド手段と下部ガイドレールからなるメダル案内部の構造説明図である。
【図１５】第７実施形態に係るメダルセレクタの斜視図である。
【図１６】第７実施形態に係るメダルセレクタにおける本体ベースの裏面側斜視図である。
【図１７】（ａ）第７実施形態に係るメダルセレクタにおけるホルダ部材の後方側斜視図である。（ｂ）第７実施形態に係るメダルセレクタにおけるホルダ部材の前方側斜視図である。
【符号の説明】
【０１３７】
１００    スロットマシン
６００Ａ  メダルセレクタ
６１０Ａ  本体ベース
６２０Ａ  第１ガイド手段
６３０Ａ  下部ガイドレール
６４０Ａ  第２ガイド手段
６５０    メダルブロッカ
６６０    センサユニット
【図１】
2008178630.tif 000003
【図２】
2008178630.tif 000004
【図３】
2008178630.tif 000005
【図４】
2008178630.tif 000006
【図５】
2008178630.tif 000007
【図６】
2008178630.tif 000008
【図７】
2008178630.tif 000009
【図８】
2008178630.tif 000010
【図９】
2008178630.tif 000011
【図１０】
2008178630.tif 000012
【図１１】
2008178630.tif 000013
【図１２】
2008178630.tif 000014
【図１３】
2008178630.tif 000015
【図１４】
2008178630.tif 000016
【図１５】
2008178630.tif 000017
【図１６】
2008178630.tif 000018
【図１７】
2008178630.tif 000019